(57)【特許請求の範囲】
【請求項１】
額縁状の前枠と額縁状の外枠とが片開き可能に連結され、前枠にはスライダー装置が取付けられ、外枠にはストッパが取付けられたパチンコ機の本体枠において、スライダー装置が前枠側の基部と基部に回転可能及び開度調整可能に連結された可動腕とを備え、ストッパが外枠側の平坦部と平坦部の後部より上方に突出された行止部とを備え、前枠が外枠に対して閉じられる終端側側で、可動腕の自由端側がストッパの行止部と後半部とよりなる隅部に接触し、その接触部を基準とする可動腕のてこの動作により前枠が上方に迫り上げられるようにしたことを特徴とするパチンコ機の本体枠。
【請求項２】
スライダー装置が可動腕を基部に開度調整可能なための弾性部材を備えたことを特徴とする請求項１記載のパチンコ機の本体枠。
【請求項３】
スライダー装置が可動腕を基部に開度調整可能なための開度規制部材を備えたことを特徴とする請求項１記載のパチンコ機の本体枠。
【請求項４】
スライダー装置が可動腕の自由端側にローラを備えたことを特徴とする請求項１記載のパチンコ機の本体枠。
【請求項５】
可動腕が基部に接触して可動腕の回転を規制する凸部を備えたことを特徴とする請求項１記載のパチンコ機の本体枠。
【発明の詳細な説明】
【０００１】
【発明の属する技術分野】
本発明は、パチンコ機の本体枠であって、本体枠の前枠が本体枠の外枠に閉じられる際の建て付け姿勢保持に関する。
【０００２】
【従来の技術】
実公昭５１−１９５１２号公報、実公平６−３２１４８号公報で開示されたパチンコ機の本体枠は、本体枠の前枠にスライダー装置を設け、本体枠の外枠に案内板又は滑り板等の平坦部材を設け、前枠が閉じられる際に、スライダー装置のローラを平坦部材に摺動させることにより、前枠の片下がりを防止するものである。
【０００３】
【発明が解決しようとする課題】
しかし、前記従来の本体枠にあっては、前枠に固定されるスライダー装置の固定枠に回転可能に連結されたローラが前枠の人力による閉じ動作につれて平坦部材上を擦れる構造であるので、前枠の重量がローラと平坦部材との接触部分に加わった状態で前枠を閉じなければならず、前枠を閉じるのに大きな力が必要となることを否めない。
【０００４】
そこで、本発明は、前枠を人力で軽く閉じることができるパチンコ機の本体枠を提供するものである。
【０００５】
【課題を解決するための手段】
本発明にあっては、額縁状の前枠と額縁状の外枠とが片開き可能に連結され、前枠にはスライダー装置が取付けられ、外枠にはストッパが取付けられたパチンコ機の本体枠において、スライダー装置が前枠側の基部と基部に回転可能及び開度調整可能に連結された可動腕とを備え、ストッパが外枠側の後半部と後半部より上方に突出された行止部とを備え、前枠が外枠に対して閉じられる終端側で、可動腕の自由端側がストッパの行止部と後半部とよりなる隅部に接触し、その接触部を基準とする可動腕のてこの動作により前枠が上方に迫り上げられるようにしたことを特徴としている。よって、本発明によれば、前枠の閉じ終端側で可動腕のてこの動作により前枠を人力で軽く閉じることができ、前枠と外枠との建て付け姿勢が正確に保持できる。
又、本発明にあっては、スライダー装置が可動腕を基部に開度調整可能なための弾性部材を備えれば、前枠の開閉が繰り返された経時変換によって、前枠の閉じ終端側よりも以前に可動腕がストッパの後半部に接触した場合、可動腕とストッパとの接触抵抗を可動腕の弾性作用下による移動で吸収することができる。又、スライダー装置を前枠に取付けるとき、可動腕が弾性部材で所定の開度に保持することができ、スライダー装置の前枠への取付作業も簡単となる。
又、本発明にあっては、スライダー装置が可動腕を基部に開度調整可能なための開度規制部材を備えれば、可動腕の開き過ぎを防止することができる。
又、本発明にあっては、スライダー装置が可動腕の自由端側にローラを備えれば、前枠が迫り上げられるとき、ローラが回転し、可動腕のてこの動作に必要な力が少なくなる。
又、本発明にあっては、可動腕が基部に接触して可動腕の回転を規制する凸部を備えれば、可動腕の開き過ぎを防止することができる。
【０００６】
【発明の実施の形態】
図１〜図８は本発明の一実施形態であって、図１は前枠を開いたパチンコ機を裏側より示し、図２はスライダー装置の外観を示し、図３は前枠が閉じられる際のスライダー装置の初期状態を示し、図４は前枠が閉じられる際のスライダーの動作を示し、図５はパネル枠を開いたパチンコ機を前側より示し、図６はスイッチ装置を分解して示し、図７は図６のスイッチ支持部材を矢印Ａ方向から見た側面を示し、図８はスイッチ装置の動作を上から見た平面を示す。
【０００７】
図１を参照し、パチンコ機について説明する。本体枠１では、図示しないＧ盤と呼ばれる遊技盤を取付けるための額縁状の前枠２が、パチンコ店の島に取付けられる額縁状の外枠３に上下の枠ヒンジ４で前方横方向に片開き可能に取付けられる。前枠２の自由端側縦縁には施錠装置５が配置される。そして、図外のキープレートが人為操作で施錠装置５に前枠２の前側より差込まれて一方向に例えば９０度回転操作されると、前枠２の裏面側に設けられた前枠ロック機構６の前枠ロックレバー６ａが外枠３に設けられた前枠止具７より外れる。これにより、前枠２が外枠３に開閉可能となる。その状態のまま、前枠２が人為操作で前側に引かれることにより枠ヒンジ４を中心として横方向前側に片開きされる。この状態において、キープレートへの一方向への人為的な操作力が解除されると、前枠ロックレバー６ａが前枠ロック機構６に内蔵されたばね力で元の位置に戻り、この復元力によりキープレートも元の位置に戻り施錠装置５より引抜可能となる。
【０００８】
又、前枠２が開かれた状態において、前枠２が人為操作で裏側に押されて閉じられることにより、前枠ロックレバー６ａが前枠止具７に接触して移動する。引続き、前枠ロックレバー６ａの先端フックが前枠止具７を超えることにより、前枠ロックレバー６ａが前枠ロック機構６に内蔵されたばね力で元の位置に戻り前枠止具７に係合する。これにより、前枠２が外枠３に開閉不能となる。
【０００９】
施錠装置５及び前枠ロック機構６は前枠２の裏面に固定されたリアプレート８に取付けられる。リアプレート８は前枠２との間に遊技盤を収納するための空間を形成する。前枠２の下縁裏面にはスライダー装置９が取付けられる。そして、前枠２が閉じられる過程において、スライダー装置９は外枠３の下縁に固定されたストッパ１０に接触し、外枠３に対する前枠２の建て付けを正規の姿勢に保つ。
【００１０】
図２を参照し、スライダー装置９について説明する。スライダー装置９は基部９１に軸９２で取付けられた可動腕９３を備える。基部９１は相対峙する両側壁９１ａを繋ぐ背壁９１ｂに上下の取付孔９１ｃ及び下部より裏側に折り曲げられた凸部９１ｄを有する。可動腕９３は相対峙する両側壁９３ａを繋ぐ背壁９３ｂに係合孔９３ｃを有する。両側壁９３ａより延設された両支持壁９３ｄにはローラ９３ｅが軸９３ｆで両持ち状態に取付けられる。両支持壁９３ｄの相対間隔が両側壁９３ａよりも下方に行くに従って徐々に両側壁９３ａの相対間隔よりも幅狭となるように、両支持壁９３ｄは屈曲している。そして、両支持壁９３ｄは相対間隔が互いに平行となる下部にローラ９３ｅを備える。ローラ９３ｅの外周面は両支持壁９３ｄの下部外周面より外側に突出すると共に背壁９３ｂと干渉していない。
【００１１】
背壁９１ｂの内側面には開度規制部材９４が取付けられる。開度規制部材９４では、下側取付孔９１ｃから上側に延びる縦部９４ａが背壁９１ｂに固定され、縦部９４ａが軸９２よりも下部で可動腕９３の方面に下傾状の屈曲部９４ｂを備え、屈曲部９４ｂの先端が上方に半円弧状に折り曲げられた係合部９４ｃとして形成される。そして、屈曲部９４ｂの弾性により、係合部９４ｃが可動腕９３の係合孔９３ｃに内側より外側に挿入されて係合孔９３ｃ周りの可動腕９３に係合された場合、開度規制部材９４は可動腕９３のローラ９３ｅ側が基部９１より離れる方向の回転運動を規制する。つまり、開度規制部材９４が係合孔９３ｃに挿入された状態では、軸９２を回転中心とする可動腕９３の回転運動範囲は、背壁９３ｂのローラ９３ｅ側が基部９１の背壁９１ｂに接触する位置から可動腕９３が係合部９４ｃに係合するまでである。
【００１２】
軸９２には二股状の弾性部材９５が装着される。弾性部材９５では、図３にも示すように、環状部９５ａが軸９２に外嵌装着され、環状部９５ａより延びた一端部９５ｂが可動腕９３の背壁９３ｂの内側面に接触し、環状部９ａより延びた他端部９５ｃが基部９１の背壁９１ｂに接触する。その状態において、弾性部材９５は可動腕９３が係合部９４ｃに係合する方向のばね力を可動腕９３に与える。図３に仮想線で示すように、可動腕９３が係合部９４ｃより解除され、可動腕９３のローラ９３ｅ側が弾性部材９５のばね力で前記回転運動範囲を基部９１より離れる方向に超えて移動すると、背壁９３ｂより上方に延設された凸部９３ｇが背壁９１ｂに衝突する。この可動腕９３の仮想線示の開姿勢は弾性部材９５のばね力により保たれる。
【００１３】
この可動腕９３の開姿勢が保持された状態において、背壁９１ｂの裏面を前枠２の下縁前面に接触させ、凸部９１ｄを前枠２の下縁下面に突き当てて、基部９１を前枠２に位置決めした後、凸部下側の止ねじ１１が下側の取付孔９１ｃから前枠２に締結できる。上側の止ねじ１１は、可動腕９３が係合部９４ｃに係合した状態で前枠２に締結しても良いが、可動腕９３の開姿勢が保持された状態において上側の取付孔９１ｃから前枠２に締結されれば、可動腕９３の開姿勢が保持された１つの状態で、複数の止ねじ１１が前枠２に締結できるので、スライダー装置９の前枠２への取付作業中に可動腕９３の姿勢を開及び閉という２つの状態に切替える手間がなくなり、作業性が良くなる。上記のように、凸部９１ｄを前枠２に突き当てることで、前枠２に対し、スライダー装置９の取付位置が正確に出る。
【００１４】
図３において、１２は基部９１と開度規制部材９４とを結合するリベットである。ストッパ１０は、平坦状の前端部１０ａ、傾斜状の駆上部１０ｂ、平坦状の後半部１０ｃが前側から裏側へと順に連なり、後半部１０ｃの後縁より行止部１０ｄを上方に突出している。そして、スライダー装置９の可動腕９３が開度規制部材９４に係合した状態において、前枠２が矢印Ｘで示すように前側から後側へと向けて閉じられると、図４のa図に示すようにローラ９３ｅが前端部１０ａや駆上部１０ｂ及び後半部１０ｃを非接触に通過して行止部１０ｄに接触する。図４のa図における基部９１に対する可動腕９３の開度θ１は、ローラ９３ｅが行止部１０ｄに接触する直前までのものであって、図３の基部９１に対する可動腕９３の開度と同じである。
【００１５】
引続き、前枠２の閉動作が進行すると、図４のｂ図に示すようにローラ９３ｅが行止部１０ｄに接触しているので、可動腕９３が軸９２を中心として基部９１の方面に移動し、ローラ９３ｅがストッパ１０の行止部１０ｄと後半部１０ｃとよりなる隅部に接触し、基部９１に対する可動腕９３の開度がθ２と狭くなる（θ１＞θ２）。図３〜図４のａ図及びｂ図における前枠２と後半部１０ｃとの間の隙間をＨ１とする。
【００１６】
更に、前枠２の閉動作が進行すると、図４のｃ図に示すようにローラ９３ｅがストッパ１０の行止部１０ｄと後半部１０ｃとよりなる隅部に接触したまま、可動腕９３が軸９２を中心として基部９１の方面に更に移動し、基部９１に対する可動腕９３の開度が更にθ３と狭くなる（θ１＞θ２＞θ３）。この開度がθ２からθ３に変化する過程において、上記ローラ９３ｅとストッパ１０の隅部との接触部を基準として、可動腕９３がてことして働き、前枠２がローラ９３ｅを中心として人力で軽く上方にせり上げられ、前枠２とストッパ１０の後半部１０ｃとの間の隙間Ｈ２がＨ１より少し広くなる（Ｈ１＜Ｈ２）。しかも、可動腕９３がてことして働くとき、ローラ９３ｅが回転するので、可動腕９３とストッパ１０との擦れもなくなり、可動腕９３のてこの動作に必要な力を少なくすることができる。よって、外枠３に対する前枠２の建て付けが上下方向の配置となる正規の姿勢に保持される。図４のａ図からｃ図の過程において、図１の前枠ロックレバー６ａが前枠止具７に係合し、前枠２が外枠３に開閉不能に閉じられる。
【００１７】
図５を参照し、本体枠１の前側について説明する。前枠２の四角形窓の内周縁には支持枠２０が固定される。支持枠２０には上部のパネル枠２１と下部の上皿装置２２とが前枠２の回転中心側に対応する支持枠２０の縁部に図外のヒンジで前方横方向に片開き可能に取付けられる。パネル枠２１の自由端側に対応する支持枠２０の縁部にはパネル枠ロック機構２４が設けられる。パネル枠２１には前枠２とリアプレート８とで囲まれた空間に格納された図外の遊技盤を前側より見ることが可能な透視性の有る合成樹脂又はガラスのようなパネル２３が装着される。前枠２の下縁部には下皿装置２５及び球発射装置駆動用のハンドルグリップ２６が固定される。
【００１８】
そして、図外のキープレートが人為操作で施錠装置５に差込まれて、前述した前枠２の開閉時における方向とは逆の方向に例えば９０度回転操作されると、パネル枠ロック機構２４の上下のパネル枠ロックレバー２４ａがパネル枠２１に設けられた図外のパネル枠止具より外れる。これにより、パネル枠２１が前枠２に開閉可能となる。その状態のまま、パネル枠２１が人為操作で前側に引かれることによりヒンジを中心として横方向前側に片開きされる。この状態において、キープレートへの一方向への人為的な操作力が解除されると、パネル枠ロックレバーがパネル枠ロック機構に内蔵されたばね力で元の位置に戻り、この復元力によりキープレートも元の位置に戻り施錠装置５より引抜可能となる。
【００１９】
又、パネル枠２１が開かれた状態において、パネル枠２１が人為操作で裏側に押されて閉じられることにより、パネル枠ロック機構２４の受圧部２４ｂがパネル枠２１で押されると、パネル枠ロックレバー２４ａがパネル枠ロック機構２４に内蔵されたばね力で上下に突出して元の位置に戻りパネル枠止具に係合する。これにより、パネル枠２１が前枠２に開閉不能となる。
【００２０】
支持枠２０にはスイッチ装置２８がパネル枠ロック機構２４側に設けられ、パネル枠２１の自由端にはスイッチ押圧部２７が設けられる。そして、パネル枠２１が開かれるとスイッチ押圧部２７がスイッチ装置２８より離れ、スイッチ装置２８はパネル枠２１が開かれたことを検出する。逆に、パネル枠２１が閉じられると、スイッチ押圧部２７がスイッチ装置２８に接触し、スイッチ装置２８はパネル枠２１が閉じられたことを検出する。
【００２１】
図６を参照し、スイッチ取付構造について説明する。スイッチ装置２８は、パネル枠２１の開閉を検出するものであって、リミットスイッチのような接触型のスイッチ２９、スイッチ支持部材３０、金属製の支持枠２０で代替された相手側部材を備え、スイッチ２９が支持枠２０にスイッチ支持部材３０で囲まれるように取付られた、形態である。スイッチ２９は、図外の接点部及びばねを内蔵し、上下幅の大きな本体部２９ａ、本体部２９ａの前面に前後移動可能に突出した釦２９ｂ、本体部２９ａの側面に貫通する上下の挿入孔２９ｃ、本体部２９ａより後部に本体部２９ａより小形な上下幅で突出した端子部２９ｄを備える。端子部２９ｄより上下に突出した端子２９ｅには配線２９ｆが接続される。そして、釦２９ｂがばねの力で図示のように突出した場合、接点部がオフ動作し、釦２９ｂが矢印Ｙで示す前側から裏側への方向に押された場合、接点部がオン動作する。
【００２２】
スイッチ支持部材３０は、スイッチ２９の側面と対応する側壁３０ａ、側壁３０ａのスイッチ側面に突出した上下の取付部３０ｂ、取付部３０ｂに前後に貫通する取付孔３０ｃ、取付部３０ｂ間において側壁３０ａのスイッチ側面に突出した上下の支柱３０ｄを備える。側壁３０ａのスイッチ側面からの取付部３０ｂ及び支柱３０ｄの高さＤ１はスイッチ２９の厚さＤ２よりも低い。更に、スイッチ支持部材３０は、図７に示す上下の受部３０ｅを備える。受部３０ｅは側壁３０ａの後縁部及び取付部３０ｂの後縁部より突出する。受部３０ｅの対向間隔Ｄ３は端子部２９ｄの上下幅Ｄ４と略同じである。受部３０ｅと支柱３０ｄとの間隔Ｄ５は本体部２９ａと挿入孔２９ｃとの間隔Ｄ６と略同じである。
【００２３】
そして、支柱３０ｄが挿入孔２９ｃに嵌め込まれると、前記寸法Ｄ１〜Ｄ６の関係により、本体部２９ａの端子部２９ｄからの突出部分が受部３０ｅに接触し、支柱３０ｄが挿入孔２９ｃの受部３０ｅ側内周面に接触し、スイッチ２９の１つの側面が側壁３０ａに接触し、スイッチ２９のもう１つの側面が支柱３０ｄ及び取付部３０ｂより外側に配置される。
【００２４】
図６に戻り、支持枠２０にはスイッチ設置部３１が設けられる。スイッチ設置部３１は、支持枠２０の前壁より裏側に折り曲げられた内側壁３１ａ、内側壁３１ａより直角に内側に折り曲げられた縦壁３１ｂ、縦壁３１ｂに形成された切欠部３１ｃ、切欠部３１ｃの上下縁に沿うように縦壁３１ｂより平坦に内側に突出した上下の張出壁３１ｅ、張出壁３１ｅ及び縦壁３１ｂにわたって形成された貫通孔３１ｆ、上側の張出壁３１ｅより上方に位置する縦壁３１ｂより前側に折り曲げられたリブ３１ｇを備える。切欠部３１ｃの上下幅Ｄ７はスイッチ２９の上下幅Ｄ８よりも広い。貫通孔３１ｆの上下間隔は取付孔３０ｃの上下間隔と略同じである。
【００２５】
そして、スイッチ２９とスイッチ支持部材３０とが前述のように組合され、取付部３０ｂの前面が張出壁３１ｅの裏面に重ね合され、止ねじ３２が前側より貫通孔３１ｆを経由して取付孔３０ｃに締結されることにより、図８に示すように、スイッチ２９がスイッチ支持部材３０の側壁３０ａとスイッチ設置部３１の内側壁３１ａとで挟み付けられる。よって、スイッチ２９はスイッチ支持部材３０とスイッチ設置部３１とで抱持されて左右及び上下にがたつくことはない。
【００２６】
そして、パネル枠２１が図８に示す矢印Ｗ方向より閉じられると、スイッチ押圧部２７が釦２９ｂを仮想線示位置から実線示位置へと移動させ、スイッチ２９がオン動作してパネル枠２１が閉じたことを検出する。つまり、スイッチ２９はスイッチ支持部材３０とスイッチ設置部３１とで左右及び上下にがたつくことがないように抱持されているので、スイッチ押圧部２７で押される釦２９ｂのストロークが常に一様となり、スイッチ２９の検出動作が正確である。
【００２７】
この実施形態によれば、スイッチ装置２８がパネル枠２１との合せ部品である支持枠２０にがたつくことのないように取付けられているので、スイッチ装置２８が支持枠２０の固定される前枠２に取付けられた場合に比べ、スイッチ押圧部２７で押される釦２９ｂのストロークが正確となる。
【図面の簡単な説明】
【図１】  本発明の一実施形態のパチンコ機を示す裏側からの斜視図。
【図２】  同実施形態のスライダー装置の外観を示す斜視図。
【図３】  同実施形態の前枠閉動作の初期状態を示す側面図。
【図４】  同実施形態のスライダー装置の動作を示す摸式図。
【図５】  同実施形態のパチンコ機を示す前側からの斜視図。
【図６】  同実施形態のスイッチ装置を分解した斜視図。
【図７】  同実施形態のスイッチ支持部材の側面図。
【図８】  同実施形態のスイッチ装置の動作を示す平面図。
【符号の説明】
２  前枠
９  スライダー装置
１０  ストッパ
１０ｃ  後半部
１０ｄ  行止部
９１  基部
９２  軸
９３  可動腕
９４  開度規制部材
９５  弾性部材
【図１】
0003953695.tif 000002
【図２】
0003953695.tif 000003
【図３】
0003953695.tif 000004
【図４】
0003953695.tif 000005
【図５】
0003953695.tif 000006
【図６】
0003953695.tif 000007
【図７】
0003953695.tif 000008
【図８】
0003953695.tif 000009